(57)【要約】【課題】アンケート用紙に関し、特に、アンケートに応える人に広告とは感じさせることなく、広告を伝達できるようにしたアンケート用紙を提供する。【解決手段】用紙が複数の区分４に分けられており、複数の区分４の少なくとも２つの区分Ａ、Ａａは、伝達すべき情報が関連付けられており、且つ、２つの区分Ａ、Ａａの中、一つの区分Ａには、用紙に応える人にとっての豆知識情報となる質問が記載されており、他の一つの区分Ａａは、豆知識情報が記憶に刷り込まれた人にとって、豆知識を実現するための広告に関する質問が記載されている【選択図】図１
2004062128.tif 000002
【特許請求の範囲】
【請求項１】
用紙が複数の区分に分けられており、前記複数の区分の少なくとも２つの区分は、伝達すべき情報が関連付けられており、且つ、前記伝達すべき情報が関連付けられている２つの区分の中、一つの区分には、用紙に応える人にとっての豆知識情報となる質問が記載されており、他の一つの区分は、前記豆知識情報が記憶に刷り込まれた人にとって、前記豆知識を実現するための広告に関する質問が記載されている、アンケート用紙。
【請求項２】
前記豆知識情報が、前記豆知識を実現するための広告のキャッチコピーである、請求項１に記載のアンケート用紙。
【請求項３】
前記豆知識を実現するための広告が、商号、屋号その他の名称、住所又は居所、電話番号の少なくとも一つの情報を含む、請求項１又は請求項２に記載のアンケート用紙。
【発明の詳細な説明】
【０００１】
【発明の属する技術分野】
本発明は、アンケート用紙に関し、特に、アンケートに応える人に広告とは感じさせることなく、広告を伝達できるようにしたアンケート用紙に関する。
【０００２】
【従来の技術】
アンケートは、企業等が、顧客のニーズを知ったり、満足度を知ったりするために、幅広く用いられている。
【０００３】
図２は、従来のアンケート用紙の一例を模式的に示す図である。
【０００４】
従来のアンケート用紙１０１は、アンケートに応える者に対し、「以下の項目につき、ご回答をお願いします。」、といったようなお願文部分１０２と、質問項目及び質問項目に対する該当項目を選択する部分１０３や、質問項目に対する回答を記入する部分１０４などと、アンケートに応えた者に対し、「ご協力ありがとうございました。」、といったようなお例文部分１０５等から構成されている。
【０００５】
【発明が解決しようとする課題】
しかしながら、従来のアンケート用紙は、アンケートに応える者にとっては退屈であり、アンケートを実施しても、アンケート用紙の回収率が悪いという問題がある。
【０００６】
また、企業等から見た場合、アンケートを実施することで、顧客のニーズを知ったり、満足度を知ったりすることはできても、アンケート用紙部分を広告等の企業等側からのメッセージ発信部分としては利用できていない。
【０００７】
一方、広告は、企業等側からのメッセージ発信という観点からは重要なツールである。
【０００８】
しかしながら、例えば、企業等側（情報発信者）から見込み顧客に対し、ダイレクトメールを郵送しても、ダイレクトメールを受け取った者は、その中身（情報）を見ることなく、ダイレクトメールをごみ箱に捨てたり、企業等側から見込み顧客が興味を持つであろう工夫をした、テレビ・ラジオコマーシャルや新聞・雑誌広告やを行なっても、広告の受け手側（視聴者や読者等）にとっては、目障り・耳障りなものである、という問題があり、広告の受け手（視聴者や読者等）に、企業等側からの広告伝達できない、という問題がある。
【０００９】
本発明は、以上のような問題を解決するためになされたものであって、企業等が、顧客のニーズを知ったり、満足度を知ったりすることができることはもちろんのこと、アンケートに応える者にとっては、アンケートに応えるのが楽しく、飽きることがなく、しかも、アンケートに応える者に、本人に、広告であるとまでは気付かせることなく、企業等側（情報発信者）から見込み顧客に対し、広告等のメッセージを伝えることができるアンケート用紙及び／又はアンケートを実施した場合にアンケート用紙の回収率を高くすることができるようにした、アンケート用紙を提供することを目的としている。
【００１０】
【課題を解決するための手段】
請求項１に記載のアンケート用紙は、用紙が複数の区分に分けられており、複数の区分の少なくとも２つの区分は、伝達すべき情報が関連付けられており、且つ、伝達すべき情報が関連付けられている２つの区分の中、一つの区分には、用紙に応える人にとっての豆知識情報となる質問が記載されており、他の一つの区分は、豆知識情報が記憶に刷り込まれた人にとって、豆知識を実現するための広告に関する質問が記載されている。
【００１１】
請求項２に記載のアンケート用紙は、請求項１に記載のアンケート用紙の、豆知識情報が、豆知識を実現するための広告のキャッチコピーである。
【００１２】
請求項３に記載のアンケート用紙は、請求項１又は請求項２に記載のアンケート用紙の、豆知識を実現するための広告が、商号、屋号その他の名称、住所又は居所、電話番号の少なくとも一つの情報を含む。
【００１３】
このアンケート用紙では、複数の区分の少なくとも２つの区分は、伝達すべき情報が関連付けられており、且つ、伝達すべき情報が関連付けられている２つの区分の中、一つの区分には、用紙に応える人にとっての豆知識情報となる質問が記載されており、他の一つの区分は、豆知識情報が記憶に刷り込まれた人にとって、豆知識を実現するための広告に関する質問を記載しているので、アンケートに応える者は、豆知識情報を頭に刷り込まれた状態で、豆知識を実現するための広告を見ることになる。
【００１４】
その結果、アンケートに応える者は、広告とはあまり気付かずに、広告の対象となっている店舗・企業等へ出向いて商品を購入したり、役務の提供を受けたり、店舗・企業等へ電話して、商品を注文したり、役務の提供を求めたりする。
【００１５】
即ち、このアンケート用紙は、本人に、広告であるとまでは気付かせることなく、企業等側（情報発信者）から見込み顧客に対し、広告等のメッセージを伝えることができる。
【００１６】
また、本発明に係るアンケート用紙は、アンケートに応える者にとって、広告とはあまり気が付かれないため、アンケートを実施した場合、アンケート用紙の回収率を高くすることができる。
【００１７】
【発明の実施の形態】
以下、本発明に係るアンケート用紙の一例を、更に詳しく説明する。
【００１８】
図１に、本発明に係るアンケート用紙の一例を示す。
【００１９】
このアンケート用紙１は、用紙が複数の区分２、３、４、５に分けられている。
【００２０】
この例では、２を、アンケート用紙作成の趣旨を、アンケートに応える者に対するメッセージ部分として使用している例を示しているが、本発明にとっては、２は、必要により設ければ良い部分であり、また、２を設ける位置は、図１に示すアンケート用紙の例に限られない。
【００２１】
尚、より具体的には、メッセージ部分２には、例えば、「あなたに教えて欲しいことがあります。答えて景品をもらおう！」等のメッセージを記入する。
【００２２】
また、３で示す部分は、アンケートの回答記入欄であり、必要により設ければ良い部分であり、また、３を設ける位置は、図１に示すアンケート用紙１の例に限られない。
【００２３】
また、５で示す部分は、アンケートに応えた者に対し、「ご協力ありがとうございました。」、といったようなお例文部分であり、必要により設ければ良い部分であり、また、５を設ける位置は、図１に示すアンケート用紙１の例に限られない。
【００２４】
４で示す部分は、本発明に係るアンケート用紙の一つの特徴的な部分になっている。
【００２５】
この例では、アンケート用紙１中、質問項目を設けている部分４を、複数のブロックに分けている。
【００２６】
尚、この例では、質問項目を設けている部分４を、１０ブロック（５×２）に分けているが、これは単なる例示であって、質問項目を設けている部分は、少なくとも、２つ以上あればよい。
【００２７】
質問項目を設けている部分（複数の区分）４の少なくとも２つの区分は、伝達すべき情報が関連付けられており、且つ、伝達すべき情報が関連付けられている２つの区分の中、一つの区分には、用紙に応える人にとっての豆知識情報となる質問が記載されており、他の一つの区分は、豆知識情報が記憶に刷り込まれた人にとって、豆知識を実現するための広告に関する質問が記載されている。伝達すべき情報が関連付けられて
より具体的に説明すると、このアンケート用紙１では、質問項目を設けている部分（複数の区分）４の少なくとも２つの区分Ａ、Ａａは、おり、この２つの区分Ａ、Ａａ中、一つの区分Ａには、用紙に応える人にとっての豆知識情報となる質問が記載されており、他の一つの区分Ａａは、豆知識情報が記憶に刷り込まれた人にとって、豆知識を実現するための広告に関する質問が記載されている。
【００２８】
ここで、例示的に説明すると、一つの区分Ａには、用紙に応える人にとっての豆知識情報となる質問として、例えば、「ギアラという部位を食べたことがありますか？」、という質問が記載され、他の一つの区分Ａａには、豆知識情報（この例では、「ギアラという部位を食べたことがありますか？」）、という質問が記憶に刷り込まれた人にとって、豆知識を実現するための広告に関する質問（この例では、○○○専門店（例えば、炭火焼肉酒家○○○○）、連絡先：○○○○−○○○−○○○○、Ｅ−ｍａｉｌ：ｘｘｘｘｘ＠ｘｘｘｘ．ｃｏｍ等）が記載されている。
【００２９】
ここで、一つの区分Ａには、用紙に応える人にとっての豆知識情報となる質問（この例では、「ギアラという部位を食べたことがありますか？」）は、豆知識を実現するための広告（この例では、○○○専門店（例えば、炭火焼肉酒家○○○○））のキャッチコピー（この例では、炭火焼肉酒家○○○○の名物料理）になっている。
【００３０】
したがって、伝達すべき情報が関連付けられている２つの区分Ａ、Ａａを読んで、アンケートに応えた者は、豆知識情報（この例では、「ギアラという部位を食べたことがありますか？」）を頭に刷り込まれた状態で、豆知識を実現するための広告（この例では、○○○専門店（例えば、炭火焼肉酒家○○○○））を見ることになる。
【００３１】
その結果、アンケートに応える者は、広告（この例では、○○○専門店（例えば、炭火焼肉酒家○○○○）の広告）とはあまり気付かずに、広告の対象となっている店舗・企業等（この例では、○○○専門店（例えば、炭火焼肉酒家○○○○））へ出向いて商品を購入したり、役務の提供を受けたり（この例では、○○○専門店（例えば、炭火焼肉酒家○○○○）へ出向いて、焼き肉料理を食べたり、店舗・企業等へ電話等（この例では、○○○専門店（例えば、炭火焼肉酒家○○○○）へ電話やｅ−ｍａｉｌして、予約を入れたり、この○○○専門店（例えば、炭火焼肉酒家○○○○）がテイクアウトを行っているような場合には、テイクアウト商品）を求めたりする。
【００３２】
即ち、このアンケート用紙１は、本人（アンケートに応える人）に、広告であるとまでは気付かせることなく、企業等側（情報発信者）から見込み顧客に対し、広告等のメッセージを伝えることができる。
【００３３】
また、このアンケート用紙１では、質問項目を設けている部分（複数の区分）４の少なくとも２つの区分Ｂ、Ｂａは、おり、この２つの区分Ｂ、Ｂａ中、一つの区分Ｂには、用紙に応える人にとっての豆知識情報となる質問が記載されており、他の一つの区分Ｂａは、豆知識情報が記憶に刷り込まれた人にとって、豆知識を実現するための広告に関する質問が記載されている。
【００３４】
ここで、例示的に説明すると、一つの区分Ｂには、用紙に応える人にとっての豆知識情報となる質問として、例えば、「お見合いや結婚相談所にはやはり抵抗を感じますか？」、という質問が記載され、他の一つの区分Ｂａには、豆知識情報（この例では、「お見合いや結婚相談所にはやはり抵抗を感じますか？」）、という質問が記憶に刷り込まれた人にとって、豆知識を実現するための広告に関する質問（この例では、結婚相談センター△△△△△、連絡先：ＸＸＸＸ−ＸＸＸ−ＸＸＸＸ、Ｅ−ｍａｉｌ：ｙｙｙｙｙ＠ｙｙｙｙｙ．ｃｏ．ｊｐ等）が記載されている。
【００３５】
ここで、一つの区分Ｂには、用紙に応える人にとっての豆知識情報となる質問（この例では、「お見合いや結婚相談所にはやはり抵抗を感じますか？」）は、豆知識を実現するための広告（この例では、結婚相談センター△△△△△）のキャッチコピー（この例では、結婚相談センター△△△△△の提供する役務）になっている。
【００３６】
したがって、伝達すべき情報が関連付けられている２つの区分Ｂ、Ｂａを読んで、アンケートに応えた者は、豆知識情報（この例では、「お見合いや結婚相談所にはやはり抵抗を感じますか？」）を頭に刷り込まれた状態で、豆知識を実現するための広告（この例では、結婚相談センター△△△△△の広告）を見ることになる。
【００３７】
その結果、アンケートに応える者は、この者が、独身の男又は独身の女であって、結婚を考えている人であるような場合には、広告（この例では、結婚相談センター△△△△△の広告）とはあまり気付かずに、広告の対象となっている店舗・企業等（この例では、結婚相談センター△△△△△）へ出向いて、出会いやカウンセラーを求めたりする。
【００３８】
即ち、このアンケート用紙１は、本人（アンケートに応える人）に、広告であるとまでは気付かせることなく、企業等側（情報発信者）から見込み顧客に対し、広告等のメッセージを伝えることができる。
【００３９】
また、このアンケート用紙１は、アンケートに応える者にとって、広告とはあまり気が付かれないため、アンケートを実施した場合、アンケート用紙の回収率を高くすることができる。
【００４０】
更に、このこのアンケート用紙１では、アンケートに答えると景品がもらえるようにしているので、このことによっても、アンケートを実施した場合、アンケート用紙の回収率を高くすることができる。
【００４１】
このようなアンケート用紙１は、例えば、ガソリンスタンド等のガソリン給油に訪れる者が、一定時間滞在するような場所に設置すれば、ガソリン給油に訪れる者は、興味本位で、アンケート用紙１に回答するので、アンケート用紙１の回収率を高くすることもできる。
【００４２】
また、以上の説明では、アンケート用紙１の機能として広告としての機能を中心に説明したが、このアンケート用紙１でも従来のアンケート用紙１０１と同様、質問に答えるようにしているので、このアンケート用紙１を用いてアンケートすれば、企業等が、顧客のニーズを知ったり、満足度を知ったりすることができることは、言うまでもない。
【００４３】
尚、上記発明の実施の形態では、２つの区分（Ａ、Ａａ）又は２つの区分（Ｂ、Ｂａ）中に記載されているメッセージや質問をある程度具体的にして説明したが、これは、単に、本発明の理解を容易にするために説明したに過ぎず、本発明に係るアンケート用紙は、アンケート用紙１の２つの区分（Ａ、Ａａ）又は２つの区分（Ｂ、Ｂａ）中に記載されているメッセージや質問の内容（コンテンツ）によっては、何等、限定されないことを付記しておく。
【００４４】
また、上記発明の実施の形態では、２つの区分（Ａ、Ａａ）又は２つの区分（Ｂ、Ｂａ）中に記載されているメッセージや質問をある程度具体的にして説明したが、複数のブロック中に、アンケートに答える者が、アンケート用紙の複数のブロックの２つが連関していると気が付かせないようにするために、一つのブロックで、他のブロックとは関係の無い、独立したアンケート項目を、ダミーとして含ませるようにしてもよい。
【００４５】
【発明の効果】
以上、詳細に説明したように、　このアンケート用紙では、複数の区分の少なくとも２つの区分は、伝達すべき情報が関連付けられており、且つ、伝達すべき情報が関連付けられている２つの区分の中、一つの区分には、用紙に応える人にとっての豆知識情報となる質問が記載されており、他の一つの区分は、豆知識情報が記憶に刷り込まれた人にとって、豆知識を実現するための広告に関する質問を記載しているので、アンケートに応える者は、豆知識情報を頭に刷り込まれた状態で、豆知識を実現するための広告を見ることになる。
【００４６】
その結果、アンケートに応える者は、広告とはあまり気付かずに、広告の対象となっている店舗・企業等へ出向いて商品を購入したり、役務の提供を受けたり、店舗・企業等へ電話して、商品を注文したり、役務の提供を求めたりする。
【００４７】
即ち、このアンケート用紙は、本人に、広告であるとまでは気付かせることなく、企業等側（情報発信者）から見込み顧客に対し、広告等のメッセージを伝えることができる。
【００４８】
また、本発明に係るアンケート用紙は、アンケートに応える者にとって、広告とはあまり気が付かれないため、アンケートを実施した場合、アンケート用紙の回収率を高くすることができる。
【図面の簡単な説明】
【図１】本発明に係るアンケート用紙を例示的且つ模式的に説明する図である。
【図２】従来のアンケート用紙を例示的且つ模式的に説明する図である。
【符号の説明】
１　アンケート用紙
２　メッセージ部分
３　アンケートの回答記入欄
４　質問項目を設けている部分
５　お例文部分
Ａ、Ｂ　用紙に応える人にとっての豆知識情報となる質問が記載されている部分Ａａ、Ｂａ　豆知識情報が記憶に刷り込まれた人にとって、豆知識を実現するための広告に関する質問が記載されている部分
【図１】
2004062128.tif 000003
【図２】
2004062128.tif 000004